(57)【要約】 【課題】パーマ美容において、毛髪のカール巻き状態（カール巻き毛髪の根元部分に充分に張りを持たせた状態）を維持して、パーマ処理できるようにしたクリップを提供する。【解決手段】対向する挟持片部１１ａ，１１ｂを備えたクリップにおいて、一方の挟持片部１１ａに、適宜長さの装着時状態維持用の止め縦杆（止め縦杆部２１と支え横杆部２２を備える）２を、挟持片部１１ａの挟圧方向及び挟持片部長手方向に略直交する方向に突設する。【選択図】図１
2010252881.tif 000002
【特許請求の範囲】
【請求項１】
対向する挟持片部を備えたクリップにおいて、一方の挟持片部に、適宜長さの装着時状態維持用の止め縦杆を、挟持片部の挟圧方向及び挟持片部長手方向に略直交する方向に突設してなることを特徴とするパーマ美容用クリップ。
【請求項２】
クリップが、挟持片部と操作部を備えた２個の挟持体を枢結軸で軸結すると共に、挟持片部が挟持作用をなすように付勢部材を付設すると共に、一方の挟持体に止め縦杆を突設してなる請求項１記載のパーマ美容用クリップ。
【請求項３】
挟持片部の基部又は操作部に止め縦杆部を突設すると共に、止め縦杆部の先部に挟持片部と平行する方向に屈曲して支え横杆部を形成してなる請求項１又は２記載のパーマ美容用クリップ。
【発明の詳細な説明】
【技術分野】
【０００１】
本発明は、頭髪にパーマネントウェーブを形成するために使用するパーマ美容用クリップに関するものである。
【背景技術】
【０００２】
パーマ剤（１液及び２液から成る市販の周知液剤）を使用するパーマ美容は、頭髪を所定の形状に保持させ、当該頭髪にパーマネント溶液を塗布・洗浄を順次行うパーマネント処理をなして、当該毛髪を所望の形状（カールの付与）とするものである。このパーマ美容において、毛髪をカール形状とする形態として、頭皮から立っているように、頭部表面に対して内外方向に巻かれるスタンドアップカールと、頭皮に対して平らになるように、頭部表面に添う方向に巻かれるフラットカールが知られている。
【０００３】
前者は、一般的にカーリングロッドと称されている筒状部材（特許文献１：特開２００１−７８８２４号公報を参照）を使用し、この筒状部材に毛髪を巻きつけ、ロッド両端に輪ゴムを掛け回して毛髪を固定し、パーマネント処理を施しているものである（図６参照）。
【０００４】
またロッドを使用しない手段として、特許文献２（実開平６−５２７０１号公報）に示されているようにコールドペーパーを使用して毛髪を筒状に巻いたり、特許文献３（特開２００４−２０９２３７号公報図７）に示されている毛髪束筒に毛髪を差し入れて筒状に巻き、この筒状に巻いた状態を維持するためにクリップで挟むようにしている。
【０００５】
特に特許文献２のクリップは、筒状に巻いたコールドペーパーを挟持すると同時に、クリップ挟持片に凹部を形成し、クリップ挟持片と直交するピン体を差し込み装着可能な形状としている。
【先行技術文献】
【特許文献】
【０００６】
【特許文献１】特開２００１−７８８２４号公報。
【特許文献２】実開平６−５２７０１号公報。
【特許文献３】特開２００４−２０９２３７号公報図７。
【発明の概要】
【発明が解決しようとする課題】
【０００７】
図６に例示する通り、毛髪Ａをカーリングロッドａに巻き付けて、輪ゴムｂで巻き付け状態が解除しないようにした場合には、輪ゴムｂと接している個所Ｂが、パーマ処理した際に、毛髪Ａをスタンドアップさせる方向と逆方向のウェーブとなってしまい、所望のカールを得ることができない。
【０００８】
また特許文献３に開示されている毛髪束筒を使用してクリップ止めした場合には、毛髪の先方部分のカールは容易に形成できるが、毛髪根元部分の巻き残りが多くなってしまい、当該個所の毛髪のスタンドアップはできない。
【０００９】
特許文献２には、毛髪の根元部分の巻き残りの弛み防止手段として、クリップの挟持片に設けた凹部に、止めピンを装着して巻き残り部分の張りを保持するようにしている。しかしクリップの装着と、止めピンの装着という二手間を要する作業であり、パーマ液塗布時におけるクリップ止め位置の変更を行う場合にもクリップ装着及び止めピン装着の二手間となり、作業性に問題がある。
【００１０】
而も止めピンを装着する位置が挟持片の凹部であるために、クリップの止着位置が毛髪巻き取り個所の外側（頭皮側と反対側）に限定されてしまい、毛髪根元の張り状態を僅かに緩く維持する等の微調整が容易に行うことができない。
【００１１】
そこで本発明は、巻き残り部分の張りを容易に維持でき、且つ操作性に優れたる新規なパーマ美容用クリップを提案したものである。
【課題を解決するための手段】
【００１２】
本発明に係るパーマ美容用クリップは、対向する挟持片部を備えたクリップにおいて、一方の挟持片部に、適宜長さの装着時状態維持用の止め縦杆を、挟持片部の挟圧方向及び挟持片部長手方向に略直交する方向に突設してなることを特徴とするものである。
【００１３】
而してカーリングロッドに巻き付けた状態やコールドペーパーに巻き込んだ状態等とし、このスタンドアップカールに巻いた状態の毛髪（以下「カール巻き毛髪」という）を、クリップで挟持し、当該カール巻き状態（巻いた状態）を維持すると共に、前記のクリップ装着に際して、止め縦杆を頭皮に当接させたり、他の毛髪に差し入れることで、前記カール巻き状態を安定に維持させる。
【００１４】
従って単にクリップの装着のみで、カール巻き毛髪の根元部分をも張りのある状態に維持できるものであり、また前記張り状態も止め縦杆の働き（頭皮側や反対側等のクリップ装着位置の選択、並びに止め縦杆の他の毛髪との絡み程度による止着効果）によって多少の調整ができ、根元部分に対して容易に独自のパーマ処理を行うことができる。
【００１５】
また本発明（請求項２）は、特にクリップが、挟持片部と操作部を備えた２個の挟持体を枢結軸で軸結すると共に、挟持片部が挟持作用をなすように付勢部材を付設すると共に、一方の挟持体に止め縦杆を突設してなるもので、挟持片部の開口状態で止め縦杆の位置決めを行って毛髪挟持を行うので、基部に弾性を有せしめて挟持片部の開閉で毛髪挟持を行う器具に比較して、止め縦杆を備えたクリップの操作性を良好にする。
【００１６】
更に本発明（請求項３）のパーマ美容用クリップは、挟持片部の基部又は操作部に止め縦杆を突設すると共に、止め縦杆の先部を挟持片部と平行方向に屈曲して支え横杆部を形成してなるもので、支え横杆部をクリップの支持基礎となる毛髪に差し入れることで、クリップによるカール巻き毛髪の維持並びに根元部分の張りの維持が容易に実現する。
【発明の効果】
【００１７】
本発明は上記の構成のとおりで、カール巻き毛髪の維持が容易にでき、且つカール巻き毛髪の根元部分の張りについても容易に維持でき、而も単にクリップ装着作業のみで前記維持が実現できるものである。
【図面の簡単な説明】
【００１８】
【図１】本発明の第一実施形態の全体斜視図。
【図２】同使用状態の説明図（ロッド部材の使用時）。
【図３】同使用状態の説明図（コールドペーパーや毛髪束筒の使用時）。
【図４】同第二実施形態の全体斜視図。
【図５】同使用状態の説明図（ロッド部材の使用時）。
【図６】従来のロッド部材と輪ゴムを使用した説明図。
【発明を実施するための形態】
【００１９】
次に本発明の実施形態について説明する。図１は第一実施形態を示すもので、この実施形態は、一対の挟持体１ａ，１ｂと、止め縦杆２で構成されているものである。
【００２０】
一対の挟持体１ａ，１ｂは従前のクリップと同様の構造で、挟持片部１１ａ，１１ｂと操作部１２ａ，１２ｂを備え、枢結軸１３で軸結すると共に、枢結軸１３に捩じりばね等の付勢部材１４を付設して、挟持片部１１ａ，１１ｂが挟持方向に付勢させるようにしたものである。
【００２１】
止め縦杆２は、止め縦杆部２１と支え横杆部２２とを備えてなり、止め縦杆部２１が、挟持片部１１ａの基部又は操作部１２ａから、挟持片部１１ａ，１１ｂの挟圧方向及び挟持片部１１ａの長手方向に略直交する方向に突設したものであり、支え横杆部２２は、止め縦杆部２１の先部を挟持片部１１ａと平行する方向に屈曲して形成したものである。
【００２２】
而して図２に示すようにカーリングロッドａを使用して、毛髪Ａをスタンドアップカールに巻き、このカール巻き状態をクリップの挟持片部１１ａ，１１ｂで挟持することで当該状態を維持するものである。
【００２３】
同時に止め縦杆２の支え横杆部２２を頭皮に当接させたり、他の毛髪内に差し入れることで、前記カール巻き状態を安定に維持させる。
【００２４】
仮に止め縦杆２を備えていない従来のクリップでカール巻き毛髪を挟持した場合には、カール巻き毛髪部分全体の自重で安定する状態に移行するので、カール巻き状態がクリップの挟持個所まで解け、カール巻き毛髪Ａ０の根元部分Ａ１が垂れ下がった状態となる。
【００２５】
然し止め縦杆２を備えていることで、カール巻き状態が維持され、カール巻き毛髪根元部分Ａ１の個所も立ち上がり状態が維持されることになる。
【００２６】
パーマ処理においては、ウェーブの大中小の組み合わせで美的印象を高めるヘアースタイルとするもので、これらのウェーブの大中小は、パーマ液の塗布時間（毛髪への薬液の浸透時間）やパーマ液の種類の選択等で調整を行うために、カール巻き状態が一定に維持されると、前記のパーマ処理も容易に且つ所望とおり行うことができる。
【００２７】
また支え横杆部２２の位置も、図２（イ）に示すように、カール巻き毛髪の上方位置でも又は同図（ロ）に示すように下側でも良い。
【００２８】
また図３に例示するように、毛髪先端が外側に張る上がるウェーブに形成するために、コールドペーパーｃを使用する場合でも、カール巻き毛髪を挟持すると同時に支え横杆部２２を毛髪Ａ内に差し入れて、当該カール巻き状態を安定的に維持させることもできる。
【００２９】
次に図４は第二実施形態を示すもので、この実施形態は、前記第一実施形態と同様に、一対の挟持体１ａ，１ｂと、支え横杆部２２を有しない止め縦杆２ａで構成されているものである。
【００３０】
一対の挟持体１ａ，１ｂは、全く第一実施形態と同様に、挟持片部１１ａ，１１ｂと、操作部１２ａ，１２ｂと、枢結軸１３と、付勢部材１４で構成されており、止め縦杆２ａは、止め縦杆部のみで構成されているものである。
【００３１】
この第二実施形態のクリップは、図５に例示するように、止め縦杆２ａが頭皮に衝突することで、カール巻き状態を維持するものである。勿論隣接するカール巻き毛髪の一部に差し入れることでクリップ位置を保持してカール巻き状態を維持することもできる。
【００３２】
尚前記実施形態は、挟持片部を備えるクリップの基本構造を枢結構造としたが、基部に弾性を有せしめて挟持片部の開閉で毛髪挟持を行う器具としても良い。
【符号の説明】
【００３３】
１ａ，１ｂ        挟持体
１１ａ，１１ｂ    挟持片部
１２ａ，１２ｂ    操作部
１３              枢結軸
１４              付勢部材
２，２ａ          止め縦杆
２１              止め縦杆部
２２              支え横杆部
【図１】
2010252881.tif 000003
【図２】
2010252881.tif 000004
【図３】
2010252881.tif 000005
【図４】
2010252881.tif 000006
【図５】
2010252881.tif 000007
【図６】
2010252881.tif 000008